(57)【要約】【課題】尿中沈殿物の蓄積に起因して排水が阻害されるのを防止する。【解決手段】小便器用排水トラップＡは、小便器１の鉢面２の下端部に配置されて貯留空間１２を有する本体部１１と、貯留空間１２内の尿を本体部１１外へ排出させる排出口１８と、下端のディップ１７を貯留空間１２の底部に連通させるとともに上端のウェア１９を排出口１８に連通させた封水部１５と、排出部材３０とを備える。排出部材３０は、操作部３３から下方へ延出した形態であって操作部３３と一体に変位する軸部３１（操作力伝達部）と、封水部１５内において軸部３１と一体に変位することでディップ１７よりも下方に位置する尿中沈殿物を排出口１８まで引き上げるスクリュー部３４（排出機能部）とを備えている。【選択図】図２
2011246995.tif 000002
【特許請求の範囲】
【請求項１】
小便器の鉢面の下端部に配置され、尿を貯留するための貯留空間を有する本体部と、
前記貯留空間内の尿を前記本体部外へ排出させるための排出口と、
下端のディップを前記貯留空間の底部に連通させるとともに上端のウェアを前記排出口に連通させた形態であって、前記貯留空間内の尿が排出されるときに尿の上昇流路となる封水部とを備えた小便器用排水トラップであって、
操作部と、前記封水部内に配された排出機能部と、前記操作部の動きを前記排出機能部に伝達する操作力伝達部とを備え、前記操作部を操作することで前記排出機能部が前記ディップよりも下方に位置する尿中沈殿物を前記排出口まで引き上げるようになっている排出部材が設けられていることを特徴とする小便器用排水トラップ。
【請求項２】
前記操作力伝達部は、前記封水部内に挿通された軸状をなし、軸心回りの回転を可能に支持されており、
前記排出機能部は、板状をなし、前記操作力伝達部を中心とする螺旋状に配されていることを特徴とする請求項１記載の小便器用排水トラップ。
【請求項３】
前記封水部の内壁面と前記操作力伝達部の軸線が、鉛直方向に対して傾斜していることを特徴とする請求項２記載の小便器用排水トラップ。
【請求項４】
前記操作部は、前記操作力伝達部に対して着脱可能とされていることを特徴とする請求項２又は請求項３に記載の小便器用排水トラップ。
【請求項５】
前記貯留空間内には、前記ディップに向かって下り勾配となる誘導斜面が形成されていることを特徴とする請求項１ないし請求項４のいずれか１項に記載の小便器用排水トラップ。
【請求項６】
前記排出部材のうち前記封水部から前記排出口に至る尿の流路よりも上方に突出した上端部を覆い隠す状態と、前記排出部材の上端部を露出させる状態との間での変位を可能とされた目皿を備えていることを特徴とする請求項１ないし請求項５のいずれか１項に記載の小便器用排水トラップ。
【請求項７】
前記小便器の鉢面の下端部に上方に向けて開口した凹部に着脱自在に取り付けられるカートリッジ形態に形成されていることを特徴とする請求項１ないし請求項６のいずれか１項に記載の小便器用排水トラップ。
【発明の詳細な説明】
【技術分野】
【０００１】
本発明は、小便器用排水トラップに関するものである。
【背景技術】
【０００２】
特許文献１には、従来の小便器用排水トラップとして、小便器の鉢面の下端部に配置され、尿を貯留するための貯留空間を有する本体部と、貯留空間内の尿を本体部外へ排出させるための排出口と、下端のディップを貯留空間の底部に連通させるとともに上端のウェアを排出口に連通させた形態であって、貯留空間内の尿が排出されるときに尿の上昇流路となる封水部とを備えたものが開示されている。
【先行技術文献】
【特許文献】
【０００３】
【特許文献１】特許第３５１５７８５号公報
【発明の概要】
【発明が解決しようとする課題】
【０００４】
この種の小便器用排水トラップでは、貯留空間の底部に尿中沈殿物が沈殿することは避けられない。この沈殿した尿中沈殿物が、尿の排出時に排出口まで到達せずに貯留空間に残留し、その残留した尿中沈殿物の蓄積量が封水部のディップを上回る高さになると、封水部の上流端が尿中沈殿物によって閉塞され、排水ができなくなることが懸念される。
【０００５】
本発明は上記のような事情に基づいて完成されたものであって、尿中沈殿物の蓄積に起因して排水が阻害されるのを防止することを目的とする。
【課題を解決するための手段】
【０００６】
上記の目的を達成するための手段として、請求項１の発明は、小便器の鉢面の下端部に配置され、尿を貯留するための貯留空間を有する本体部と、前記貯留空間内の尿を前記本体部外へ排出させるための排出口と、下端のディップを前記貯留空間の底部に連通させるとともに上端のウェアを前記排出口に連通させた形態であって、前記貯留空間内の尿が排出されるときに尿の上昇流路となる封水部とを備えた小便器用排水トラップであって、操作部と、前記封水部内に配された排出機能部と、前記操作部の動きを前記排出機能部に伝達する操作力伝達部とを備え、前記操作部を操作することで前記排出機能部が前記ディップよりも下方に位置する尿中沈殿物を前記排出口まで引き上げるようになっている排出部材が設けられているところに特徴を有する。
【０００７】
請求項２の発明は、請求項１に記載のものにおいて、前記操作力伝達部は、前記封水部内に挿通された軸状をなし、軸心回りの回転を可能に支持されており、前記排出機能部は、板状をなし、前記操作力伝達部を中心とする螺旋状に配されているところに特徴を有する。
【０００８】
請求項３の発明は、請求項２に記載のものにおいて、前記封水部の内壁面と前記操作力伝達部の軸線が、鉛直方向に対して傾斜しているところに特徴を有する。
【０００９】
請求項４の発明は、請求項２又は請求項３に記載のものにおいて、前記操作部は、前記操作力伝達部に対して着脱可能とされているところに特徴を有する。
【００１０】
請求項５の発明は、請求項１ないし請求項４のいずれかに記載のものにおいて、前記貯留空間内には、前記ディップに向かって下り勾配となる誘導斜面が形成されているところに特徴を有する。
【００１１】
請求項６の発明は、請求項１ないし請求項５のいずれかに記載のものにおいて、  前記排出部材のうち前記封水部から前記排出口に至る尿の流路よりも上方に突出した上端部を覆い隠す状態と、前記排出部材の上端部を露出させる状態との間での変位を可能とされた目皿を備えているところに特徴を有する。
【００１２】
請求項７の発明は、請求項１ないし請求項６のいずれかに記載のものにおいて、前記小便器の鉢面の下端部に上方に向けて開口した凹部に着脱自在に取り付けられるカートリッジ形態に形成されているところに特徴を有する。
【発明の効果】
【００１３】
＜請求項１の発明＞
操作部を操作して排出機能部を変位させると、ディップよりも下方で沈殿している尿中沈殿物が、排出機能部により引き上げられて排出口から本体部外へ排出される。これにより、尿中沈殿物の蓄積に起因して排水が阻害されることを防止できる。
【００１４】
＜請求項２の発明＞
尿中沈殿物を排出する際には、螺旋状の排出機能部が回転することによって排出部材がスクリューフィーダーとして機能し、尿中沈殿物が排出口まで引き上げられる。また、排出機能部を螺旋板としたことにより、封水部内における尿の流路が狭められて尿の流速が速められるので、封水部内では尿中沈殿物が沈降し難くなり、尿中沈殿物を確実に排出することができる。
【００１５】
＜請求項３の発明＞
封水部の内壁面と操作力伝達部の軸線が鉛直方向に対して傾斜しているので、排出される尿中沈殿物は、封水部の内壁面上を排出機能部で堰き止められた状態で移動していくことになり、排出効率が高い。
【００１６】
＜請求項４の発明＞
操作部が必要とされるのは、尿中沈殿物を排出するときだけである、という点に着目し、操作部を操作力伝達部に対して着脱可能とした。これにより、複数の小便器用排水トラップに対して１つの操作部を共用することができるので、部品点数の削減が可能となる。
【００１７】
＜請求項５の発明＞
貯留空間内で沈降した尿中沈殿物は、誘導斜面上に落ちるのであるが、誘導斜面はディップに向かって下り勾配となるように傾斜しているので、尿中沈殿物は誘導斜面の傾斜によりディップの近傍に集まる。これにより、貯留空間の底面上において排出されずに残留したままになる尿中沈殿物の量を低減できる。
【００１８】
＜請求項６の発明＞
尿中沈殿物を排出する際には、目皿を変位させて排出部材の上端部を露出させればよい。常には、排出部材の上端部を目皿で覆い隠すようにしているので、排出部材の上端部が、異物の干渉等によって破損したり、尿で汚されたり、尿中沈殿物等に付着により排出部材の変位動作に支障を来したりするといった不具合を回避できる。
【００１９】
＜請求項７の発明＞
シール液の減少やゲル状の尿石の堆積による詰まり等が生じた際にカートリッジごと交換することができるので、メンテナンスが容易である。
【図面の簡単な説明】
【００２０】
【図１】実施形態１の通常の使用状態をあらわす断面図
【図２】尿中沈殿物を排出可能な状態をあらわす断面図
【図３】実施形態２の通常の使用状態をあらわす断面図
【図４】尿中沈殿物を排出可能な状態をあらわす断面図
【図５】実施形態３の通常の使用状態をあらわす断面図
【発明を実施するための形態】
【００２１】
＜実施形態１＞
以下、本発明を具体化した実施形態１を図１及び図２を参照して説明する。本実施形態１の小便器用排水トラップＡは、カートリッジ形態に形成され、トイレ室（図示省略）の壁面に固定された壁掛け式の小便器１に対して着脱可能となっている。小便器１の鉢面２の下端部には収納容器３が設けられ、収納容器３には、上方に向けて開口した凹部７が形成され、小便器用排水トラップＡはこの凹部７に嵌め込まれるようになっている。小便器用排水トラップＡには、小便器１に向けて放出された尿（図示省略）が所定量だけ一時的に貯留されるようになっており、小便器１に排尿される度に、貯留されている尿の少なくとも一部が排出されるようになっている。
【００２２】
収納容器３は、軸線を上下方向に向けた円筒部４と、円筒部４の上端縁に形成した鍔部５と、円筒部４の下端に連なって略水平方向に延出する連結管６とから構成されている。収納容器３は、鉢面２の下端部に形成した開口部に対し、上から落とし込むようにして液密状に嵌合することで取り付けられている。取り付けられた収納容器３は、鍔部５が開口部の開口縁に係止することにより、所定の高さに保持されるとともに、水平方向への変位を規制された状態で位置決めされている。収納容器３を取り付けた状態では、円筒部４の内部空間が、小便器用排水トラップＡを収納するための凹部７となる。また、連結管６の延出端部は、壁面に引き出された排水管（図示省略）に接続されている。
【００２３】
小便器用排水トラップＡは、トラップ本体１０と、蓋２２と、受け部材２４と、排出部材３０と、目皿４１とを備えて構成されている。トラップ本体１０は、尿を貯留するための貯留空間１２を有する本体部１１と、貯留空間１２内の尿を本体部１１（トラップ本体１０）の外へ排出させるための排出口１８と、下端のディップ１７を貯留空間１２の底部に連通させるとともに上端のウェア１９を排出口１８に連通させた形態であって、貯留空間１２内の尿が排出されるときに尿の上昇流路１６となる封水部１５とを備えて構成されている。
【００２４】
本体部１１は、上面が開放された容器状をなしており、本体部１１の内部は、尿とシール液（図示省略）を貯留するための貯留空間１２となっている。貯留空間１２のうち上端部を除いた部分は、下方に向かって狭まるように、即ち、水平に切断したときの断面積が下方に向かって次第に小さくなるような擂り鉢状をなしている。貯留空間１２の内壁面のうち擂り鉢状をなす部分は、後述するディップ１７に向かって下り勾配となるように傾斜した誘導斜面１３となっている。誘導斜面１３は、全周に亘って形成されている。本体部１１には、誘導斜面１３の周方向における一部分を切欠することにより、貯留空間１２の下端部（底部）に連通する流出口１４が形成されている。
【００２５】
封水部１５は、誘導斜面１３に沿うように本体部１１と一体に形成され、封水部１５の内部空間は上下方向に貫通する上昇流路１６となっている。上昇流路１６の貫通方向と直交する断面形状は真円形をなしている。封水部１５の下端、即ち上昇流路１６の上流端であるディップ１７は、貯留空間１２の底部に連通している。封水部１５の上昇流路１６は、誘導斜面１３と平行な方向、即ち鉛直方向に対して傾斜した方向を向いている。
【００２６】
排出口１８は、本体部１１の上端部において、封水部１５の上端、即ち上昇流路１６の下流端であるウェア１９に対してその近傍で連通するように形成されている。つまり、排出口１８の開口領域における下端が、ウェア１９となっている。また、本体部１１には、排出口１８に連なる排出路２０が形成されている。排出路２０は、排出口１８から鉛直方向下向きに延出した形態であり、排出路２０の内部は、全長に亘って全周を周壁部で囲まれた落下空間２１となっている。排出路２０（落下空間２１）の上端（上流端）は排出口１８に臨み、排出路２０（落下空間２１）の下端（下流端）の開口は連結管６の上流端に臨んでいる。
【００２７】
蓋２２は、本体部１１に対し、その上面の開口を塞ぐように組み付けられている。小便器用排水トラップＡを収納容器３に収容した状態では、蓋２２は収納容器３の円筒部４の上面に開口を塞ぐ状態となり、蓋２２の外周縁は、円筒部４の上端部内周に対して液密状に嵌合される。
【００２８】
蓋２２には貫通孔２３が形成され、貫通孔２３には受け部材２４が組み付けられている。受け部材２４は上面が開放された容器状をなし、受け部材２４の上端部が貫通孔２３に嵌合されている。受け部材２４の上面の開口部は、尿を貯留空間１２内に流入させるための流入口２５となっている。また、受け部材２４の周壁には、底壁部よりも上方の領域を部分的に開口させた形態の連通孔２６が形成されている。
【００２９】
上記封水部１５には、排出部材３０が設けられている。排出部材３０は、上昇流路１６と同心の軸部３１（本発明の構成要件である操作力伝達部）と、軸部３１の上端に近い位置に同心円板状に且つ一体に形成されたフランジ部３２と、軸部３１の上端部、即ち軸部３１におけるフランジ部３２よりも上方の位置に設けられた操作部３３と、軸部３１の外周に螺旋状をなし且つ軸部３１と一体に回転するように形成された板状をなすスクリュー部３４（本発明の構成要件である排出機能部）とを有する。
【００３０】
操作部３３は、軸部３１のうちフランジ部３２よりも上方に形成された角柱状の連結部３５と、連結部３５に対しアダプタ３７を介して一大回転し得るように嵌合可能なハンドル３６とを備えて構成されている。また、連結部３５には、上からシール部材３８が嵌合し得るようになっている。シール部材３８とハンドル３６は、連結部３５に対して着脱可能であり、連結部３５には、シール部材３８とハンドル３６のいずれか一方が選択的に嵌合される。
【００３１】
かかる排出部材３０は、軸受部材３９と軸受孔４０とによって回転可能に支持されている。軸受部材３９は、蓋２２に対し、上昇流路１６と同軸状に貫通するように取り付けられている。軸受孔４０は、貯留空間１２の底面を上昇流路１６と同軸状に切欠することによって形成されている。軸受部材３９には、フランジ部３２の外周面が摺接し得るように嵌合されているとともに、フランジ部３２の上面における外周縁が摺接し得るように当接されている。軸受孔４０には、軸部３１の下端部が回転可能に嵌入され、軸部３１の下端面が軸受孔４０の底面（下端面）に摺接し得るように当接されている。
【００３２】
軸受部材３９と軸受孔４０によって回転可能に支持された排出部材３０は、トラップ本体１０に対して軸線方向への相対変位を規制された状態となっている。また、軸部３１は封水部１５内を貫通し、スクリュー部３４は、封水部１５の上昇流路１６内に位置する。また、スクリュー部３４の外周縁と上昇流路１６の内周面との間には、排出部材３０の円滑に回転動作を保証するために必要最小のクリアランスが確保されている。スクリュー部３４の下端は、ディップ１７よりも下方の高さであって、貯留空間１２の底部内に位置するように配されている。また、スクリュー部３４の上端は、ウェア１９よりも少し上方の位置、即ち排出口１８の開口領域の少なくとも一部と対応する高さに配されている。
【００３３】
蓋２２の上方には着脱可能な目皿４１が設けられている。目皿４１は、蓋２２とほぼ同じ大きさの円盤状をなす覆い部４２と、覆い部４２の下面のうち外周縁に近い位置から下方へ延出する複数の脚部４３とを有する。通常、目皿４１は、脚部４３を蓋２２の上面に載せるようにして取り付けられる。目皿４１を取り付ける際には、連結部３５にシール部材３８を取り付けておく。目皿４１を取り付けた状態では、図１に示すように、目皿４１が、排出部材３０のうち封水部１５から排出口１８に至る尿の流路よりも上方に突出した上端部（連結部３５及びシール部材３８）と、軸受部材３９と、流入口２５を覆い隠す。また、目皿４１の外周縁の下面と蓋２２の上面との間には、尿を流動させるための隙間が全周に亘って空けられている。
【００３４】
目皿４１を外すと、図２に示すように、排出部材３０の上端部（連結部３５及びハンドル３６）が露出した状態となる。したがって、目皿４１を外すことにより、シール部材３８を連結部３５から外し、ハンドル３６を連結部３５に付け替える作業と、ハンドル３６を回転操作する作業と、ハンドル３６を連結部３５から外して、シール部材３８を連結部３５に付け替える作業を行うことができるようになる。
【００３５】
通常、貯留空間１２内及び封水部１５（上昇流路１６）内には、所定量の尿が貯留されている。このときの、上昇流路１６における尿の液面はウェア１９と同じ高さであり、上昇流路１６中に尿が満たされることにより、排水管からの異臭が小便器１側へ放出されることを防止する封水状態が保たれる。また、貯留空間１２内においては、尿の液面が、尿よりも比重の小さい非水溶性のシール液で覆われている。このシール液により、貯留空間１２内に貯留されている尿が大気中に直接触れるのを防止しているので、尿から発せられる異臭が大気中に放散されることはない。貯留空間１２内におけるシール液の液面高さは、上昇流路１６内の尿の液面よりも僅かに上方の高さである。
【００３６】
小便器１に向けて排尿が行われると、尿は、鉢面２を流れて目皿４１と蓋２２との隙間を通る経路、又は、目皿４１の上面を流れて目皿４１と蓋２２との隙間を通る経路を経た後、蓋２２の上面を伝い、流入口２５から貯留空間１２内に流入する。貯留空間１２内に流入した尿は、シール液を突き抜けて一旦受け部材２４内に進入した後、連通孔２６を通過して貯留空間１２内の尿と混ざり合う。貯留空間１２内の尿は、流出口１７を通って封水部１５の上昇流路１６内を流れ、排出口１８から排出路２０を通って連結管６の上流端部に落下し、配水管へ排出される。尚、上昇流路１６内には排出部材３０のスクリュー部３４が存在するが、スクリュー部３４は一枚の板を螺旋状に成形した形態なので、上昇流路１６の内部空間がスクリュー部３４によって遮断されることはなく、尿は支障なく上昇流路１６内を上昇することができる。
【００３７】
また、尿の流入により、シール液の一部が受け部材２４内に引き込まれるのであるが、引き込まれたシール液は、受け部材２４の底壁部に跳ね返されるので、受け部材２４内から貯留空間１２内に流出しても、貯留空間１２の底部にまで到達する虞はない。また、シール液は、尿よりも比重が小さいので、尿の流入の勢いが弱まると、浮力により上昇し、尿の液面を覆っているシール液と合流する。したがって、多量のシール液が排出口１８から排出される虞がなく、使用期間が長期に亘ってもシール液の減少を抑えることができる。
【００３８】
尿の流入が行われていない間、尿中沈殿物（図示省略）が沈降して誘導斜面１３及び貯留空間１２の底面に落下する。ここで、誘導斜面１３は、水平面に対しディップ１７（流出口１４）に向かって下り勾配となるように傾斜しているので、誘導斜面１３上に落下した尿中沈殿物は、誘導斜面１３の傾斜にしたがって転がり落ち、貯留空間１２の底部、即ちディップ１７のほぼ真下の近傍位置に至る。このように、尿中沈殿物の大部分は、ディップ１７の近傍に集まるようになっている。
【００３９】
この貯留空間１２の底部に集まった尿中沈殿物の多くは、尿が、貯留空間１２から上昇流路１６内へ流れる際に、その尿の流れに乗じて巻き上げられ、上昇流路１６を上昇して排出口１８から排出されるのであるが、尿中沈殿物の一部が、排出されずに貯留空間１２の底部に残留したままになることは避けられない。残留した尿中沈殿物は、蓄積されてプリン状を呈するのであるが、この残留した尿中沈殿物がディップ１７よりも高くなるまで蓄積した場合、貯留空間１２から上昇流路１６への尿の流出が阻害されることが懸念される。
【００４０】
これを回避するためには、残留している尿中沈殿物を強制的に排出させる必要がある。この作業は、次のようにして行われる。まず、目皿４１を外し、次にシール部材３８を連結部３５から外し、その後、連結部３５にハンドル３６を取り付け、このハンドル３６を回転操作する。すると、ハンドル３６の回転力が軸部３１を介してスクリュー部３４に伝達され、スクリュー部３４は、上昇流路１６内及び貯留空間１２の底部空間内で回転する。このとき、スクリュー部３４の下端部は、残留している尿中沈殿物の内部に浸漬した状態となっているので、尿中沈殿物は、スクリュー部３４の回転に伴い、スクリュー部３４の上面で引き上げられる。
【００４１】
また、スクリュー部３４の回転軸（軸部３１）と上昇流路１６の内壁面が鉛直方向に対して傾斜し、スクリュー部３４の外周縁が上昇流路１６の内壁面に接近しているので、上昇流路１６の内壁面のうち上方に臨む略下半分の半円領域と、スクリュー部３４の上面のうち軸部３１よりも下方の略半円領域との間には、上方に開放された収容空間が形成され、この収容空間内に、尿中沈殿物が収容された状態に保持される。つまり、スクリュー部３４は、上昇流路１６の内壁面上の尿中沈殿物を堰き止めるようにして下支えする。これにより、貯留空間１２の底部に残留・蓄積されていた尿中沈殿物は、確実に引き上げられ、排出口１８から排出されて、排出路２０内を通って連結管６内に落下する。また、排出機能部としてのスクリュー部３４を螺旋板としたことにより、封水部１５（上昇流路１６）内における尿の流路が狭められて尿の流速が速められるので、封水部１５内では尿中沈殿物が沈降し難くなる。したがって、尿中沈殿物を確実に排出することができる。
【００４２】
本実施形態１の小便器用排水トラップＡは、操作部３３と、封水部１５内に配された排出機能部としてのスクリュー部３４と、操作部３３の動きをスクリュー部３４に伝達する操作力伝達部としての軸部３１とを備えた排出部材３０を有している。そして、操作部３３を操作してスクリュー部３４を回転させると、ディップ１７よりも下方で沈殿している尿中沈殿物が、スクリュー部３４により引き上げられて排出口１８から本体部１１外へ排出されるようになっている。したがって、本実施形態１の小便器用排水トラップＡによれば、尿中沈殿物の蓄積に起因して排水が阻害されることを防止できる。
【００４３】
また、本実施形態１では、操作部３３が必要とされるのは、尿中沈殿物を排出するときだけである、という点に着目し、操作部３３として、軸部３１に対して着脱可能なハンドル３６を設けた。これにより、複数の小便器用排水トラップＡに対して１つのハンドル３６（操作部３３）を共用することができるので、部品点数の削減が可能となる。
【００４４】
また、貯留空間１２内で沈降した尿中沈殿物が、誘導斜面１３上に落ちるようにした。この誘導斜面１３は、ディップ１７に向かって下り勾配となるように傾斜しているので、尿中沈殿物は誘導斜面１３の傾斜によりディップ１７の近傍に集まる。これにより、貯留空間１２の底面上において排出されずに残留したままになる尿中沈殿物の量を低減できる。
【００４５】
また、排出部材３０のうち封水部１５から排出口１８に至る尿の流路よりも上方に突出した上端部を覆い隠す状態と、排出部材３０の上端部を露出させる状態との間での変位を可能とされた目皿４１を設けた。常には、排出部材３０の上端部を目皿４１で覆い隠すことができるので、排出部材３０の上端部が、異物の干渉等によって破損したり、尿で汚されたり、尿中沈殿物等に付着により排出部材３０の変位動作に支障を来したりするといった不具合を回避できる。
【００４６】
また、本実施形態１の小便器用排水トラップＡは、小便器１の鉢面２の下端部に上方に向けて開口した凹部７に着脱自在に取り付けられるカートリッジ形態に形成されている。この構成によれば、シール液の減少やゲル状の尿石の堆積による詰まり等が生じた際にカートリッジごと交換することができるので、メンテナンスが容易である。
【００４７】
＜実施形態２＞
次に、本発明を具体化した実施形態２を図３及び図４を参照して説明する。本実施形態２の小便器用排水トラップＢは、排出路５０を上記実施形態１とは異なる構成としたものである。その他の構成については上記実施形態１と同じであるため、同じ構成については、同一符号を付し、構造、作用及び効果の説明は省略する。
【００４８】
上記実施形態１では、排出路２０が、全周を周壁部で囲まれた落下空間２１を有する形態であったが、本実施形態２の排出路５０は、本体部１１（トラップ本体１０）の外面を上下方向に延びる溝状に凹ませた形態となっている。この排出路５０の上端は、排出口１８に連通しているとともに、ウェア１９に臨んでいる。また、排出路５０の下端は、連結管６に臨んでいる。
【００４９】
＜実施形態３＞
次に、本発明を具体化した実施形態３を図５を参照して説明する。本実施形態３の小便器用排水トラップＣは、排出部材６０を上記実施形態１及び実施形態２とは異なる構成としたものである。その他の構成については上記実施形態１と同じであるため、同じ構成については、同一符号を付し、構造、作用及び効果の説明は省略する。
【００５０】
本実施形態３の排出部材６０は、軸部６１（本発明の構成要件である操作力伝達部）の下端部に、板部６２（本発明の構成要件である排出機能部）を一体に変位し得るように設け、軸部６１の上端部に、摘み部６３（本発明の構成要件である操作部）を一体に変位し得るように取り付けた形態である。軸部６１は、蓋２２に設けた軸受部材６４に軸線方向の相対変位を可能に貫通されており、この軸受部材６４により、排出部材６０は、板部６２を貯留空間１２の底面にほぼ密着させた最下端の待機位置（図５を参照）と、板部６２がウエア１９よりも高くなる排出位置（図示省略）との間で上下方向（軸部６１の軸線に沿った方向）に移動し得るようになっている。
【００５１】
板部６２は、上昇流路１６と同心の円形をなし、板部６２の外周縁は上昇流路１６の内壁面に対し排出部材６０の円滑な移動を許容するために必要最小のクリアランスを空けて対向している。また、軸部６１の上端部は、軸受部材６４を貫通してその上方に突出しており、この突出部分に摘み部６３が固着されている。したがって、摘み部６３は、排出部材６０が待機位置と排出位置との間のいずれの位置にあっても、蓋２２の上方に露出した状態となる。
【００５２】
通常、排出部材６０は、待機位置に保持され、板部６２が貯留空間１２の底面にほぼ密着した状態、即ち貯留空間１２の底部に蓄積している尿中沈殿物の内部に浸漬された状態となっている。また、このとき、板部６２は、貯留空間１２と上昇流路１６とを連通させる流出口１７の開口領域における下端に位置しているので、貯留空間１２から上昇流路１６への尿の流動を阻害することはない。
【００５３】
貯留空間１２の底部に蓄積している尿中沈殿物を排出する際には、摘み部６３を摘んで排出部材６０を持ち上げるようにする。すると、尿中沈殿物が、板部６２の上面に載置された状態で引き上げられる。そして、排出部材６０が排出位置まで上昇すると、板部６２に載っている尿中沈殿物は、軸受部材６４の下面に押し付けられることによって、側方へ押され、排出口１８から排出される。
【００５４】
＜他の実施形態＞
本発明は上記記述及び図面によって説明した実施形態に限定されるものではなく、例えば次のような実施形態も本発明の技術的範囲に含まれる。
（１）上記実施形態１〜３では、排出機能部（スクリュー部又は板部）を、孔や隙間の無い板状とすることによって尿中沈殿物を下支えするようにしたが、排出機能部は網目状のものであってもよい。このようにすれば、尿が封水部を通って排出されるときの抵抗を小さく抑えることが可能である。
（２）上記実施形態１〜３では、封水部の内壁面と軸部（操作力伝達部）の軸線を鉛直方向に対して斜め方向としたが、封水部の内壁面と軸部の軸線は鉛直方向であってもよい。
（３）上記実施形態１及び２では、操作部として軸部（操作力伝達部）に対して着脱可能なハンドルを用いたが、操作部は、軸部から外せない形態としてもよい。
（４）上記実施形態１〜３では、貯留空間内に、ディップに向かって下り勾配となる誘導斜面を形成したが、このような誘導斜面を形成せず、貯留空間の内壁面が鉛直方向に切り立った形態とされ、貯留空間の底面が全領域に亘って水平な形態であってもよい。
（５）上記実施形態１〜３では、排出部材のうち封水部から排出口に至る尿の流路よりも上方に突出した上端部を覆い隠す目皿を着脱可能に設けたが、このような目皿を設けず、常に、排出部材の上端部が蓋の上面側に露出されるようにしてもよい。
（６）上記実施形態１〜３では、目皿が、蓋と別体として蓋から離脱できるようにしたが、目皿は、蓋やトラップ本体に対してヒンジにより連結されていてもよい。この場合も、ヒンジを支点に目皿を開閉させることにより、排出部材の上端部を露出又は覆い隠すことが可能である。
（７）上記実施形態１〜３では、小便器用排水トラップが、小便器の鉢面の下端部に上方に向けて開口した凹部に着脱自在に取り付けられるカートリッジ形態としたが、小便器用排水トラップは、小便器の鉢面の下端部に固定して取り付けられたものであってもよい。
【符号の説明】
【００５５】
Ａ…小便器用排水トラップ
１…小便器
２…鉢面
７…凹部
１１…本体部
１２…貯留空間
１３…誘導斜面
１５…封水部
１７…ディップ
１８…排出口
１９…ウェア
３０…排出部材
３１…軸部（操作力伝達部）
３３…操作部
３４…スクリュー部（排出機能部）
４１…目皿
Ｂ，Ｃ…小便器用排水トラップ
６０…排出部材
６１…軸部（操作力伝達部）
６２…板部（排出機能部）
６３…摘み部（操作部）
【図１】
2011246995.tif 000003
【図２】
2011246995.tif 000004
【図３】
2011246995.tif 000005
【図４】
2011246995.tif 000006
【図５】
2011246995.tif 000007